(57)【要約】【課題】本発明は、ＦＭ送信機の送信アンテナをＦＭ受信機の受信アンテナに接触又は近接させ、外部に電波が漏れないようにすることである。【解決手段】本発明によるＦＭ送信装置及び方法は、電気的音発生器(2)からの音信号(3)をＦＭ送信機(1)の送信アンテナ(5)から、ＦＭ受信機(6)の受信アンテナ(7)を経て前記ＦＭ受信機(6)で受信するようにしたＦＭ送信装置において、前記送信アンテナ(5)と受信アンテナ(7)とは、互いに接触又は近接している構成と方法である。【選択図】図１
2015106774.tif 000002
【特許請求の範囲】
【請求項１】
電気的音発生器(2)からの音信号(3)をＦＭ送信機(1)の送信アンテナ(5)から、ＦＭ受信機(6)の受信アンテナ(7)を経て前記ＦＭ受信機(6)で受信するようにしたＦＭ送信装置において、
前記送信アンテナ(5)と受信アンテナ(7)とは、互いに接触又は近接していることを特徴とするＦＭ送信装置。
【請求項２】
前記受信アンテナ(7)は、ガラス(10)内に導体が埋設されたガラス受信アンテナ(7A)よりなることを特徴とする請求項１記載のＦＭ送信装置。
【請求項３】
前記ＦＭ送信機(1)は、取付部品(12)を介して前記ガラス(10)の一面に取付けられていることを特徴とする請求項２記載のＦＭ送信装置。
【請求項４】
前記ＦＭ送信機(1)は、吸着板(20)を介して前記ガラス(10)の一面に取付けられていることを特徴とする請求項２記載のＦＭ送信装置。
【請求項５】
前記ＦＭ送信機(1)は、両面テープ(21)を介して前記ガラス(10)の一面に取付けられていることを特徴とする請求項２記載のＦＭ送信装置。
【請求項６】
前記受信アンテナ(7)は、車(30)の前部又は後部に植立されている棒状アンテナ(7C)よりなることを特徴とする請求項１記載のＦＭ送信装置。
【請求項７】
前記受信アンテナ(7)は、車(30)の屋根(31)の後部に設けられたルーフアンテナ(7D)よりなることを特徴とする請求項１記載のＦＭ送信装置。
【請求項８】
電気的音発生器(2)からの音信号(3)をＦＭ送信機(1)の送信アンテナ(5)から、ＦＭ受信機(6)の受信アンテナ(7)を経て前記ＦＭ受信機(6)で受信するようにしたＦＭ送信装置において、
前記送信アンテナ(5)と受信アンテナ(7)とは、互いに接触又は近接していることを特徴とするＦＭ送信方法。
【請求項９】
前記受信アンテナ(7)は、ガラス(10)内に導体が埋設されたガラス受信アンテナ(7A)よりなることを特徴とする請求項８記載のＦＭ送信方法。
【請求項１０】
前記ＦＭ送信機(1)は、取付部品(12)を介して前記ガラス(10)の一面に取付けられていることを特徴とする請求項９記載のＦＭ送信方法。
【請求項１１】
前記ＦＭ送信機(1)は、吸着板(20)を介して前記ガラス(10)の一面に取付けられていることを特徴とする請求項９記載のＦＭ送信方法。
【請求項１２】
前記ＦＭ送信機(1)は、両面テープ(21)を介して前記ガラス(10)の一面に取付けられていることを特徴とする請求項９記載のＦＭ送信方法。
【請求項１３】
前記受信アンテナ(7)は、車(30)の前部又は後部に植立されている棒状アンテナ(7C)よりなることを特徴とする請求項８記載のＦＭ送信方法。
【請求項１４】
前記受信アンテナ(7)は、車(30)の屋根(31)の後部に設けられたルーフアンテナ(7D)よりなることを特徴とする請求項８記載のＦＭ送信方法。
【発明の詳細な説明】
【技術分野】
【０００１】
本発明は、ＦＭ送信装置及び方法に関し、特に、ＦＭ送信機の送信アンテナをＦＭ受信機の受信アンテナに接触又は近接させることにより、送信する音信号を直接受信アンテナに送信することができるようにするための新規な改良に関する。
【背景技術】
【０００２】
従来、用いられていたこの種のＦＭ送信装置は、一般に、ＦＭトランスミッタとして多く利用されており、例えば、特許文献１等に開示されている撮像装置内で用いられる構成では、図７及び図８のように、受信機６の外部入力端子６Ａに送信機１の出力端子１Ａが接続され、トランスミッタである送信機１からの出力信号１ａが受信機６に伝送されていた。
また、文献は示していないが、一般に用いられているＦＭ送信装置は、図９で示されるように、ＦＭ送信機１の外部に位置するスマホ、ｉｐａｄ等の携帯機器からなる音楽等のソースである電気的音発生機２からの音信号３が、接続ケーブル４を介して入力され、この音信号３は前記ＦＭ送信機１の送信アンテナ５を介して、例えば、車内に設けられたＡ／Ｖ装置のＦＭ受信機６の受信アンテナ７に送られ、前記Ａ／Ｖ装置によって音楽を高音質で再生することができる。
【先行技術文献】
【特許文献】
【０００３】
【特許文献１】特開２０１０−２７３０３５号公報
【発明の概要】
【発明が解決しようとする課題】
【０００４】
従来のＦＭ送信装置は、以上のように構成されていたため、次のような課題が存在していた。
すなわち、例えば、車内等で音楽等をメモリに内蔵したスマホ、ｉｐａｄ等の携帯機器を使用し、車内のＦＭ送信機を介して車内のＡ／Ｖ機器のＦＭ受信機で受信し、Ａ／Ｖ機器で適度の音量に増幅して、いわゆるサウンドクルージングを楽しんでいるが、図９のように、ＦＭ送信機からＦＭ受信機迄は、電波を飛ばしているため、この電波が防災無線、消防無線等の無線帯域に近いため、この電波が直接混入したり、あるいは、その高調波が障害となるため、現在電波法で規制が始まっている。
【０００５】
そのため、使用する電波の出力をこれらの障害が発生しない程度に微弱出力とする方法もあるが、あまりにも微弱出力となると、Ｓ／Ｎ比の低下となり、高音質の音楽再生が難しくなっていた。
【０００６】
また、図７及び図８のように、ＦＭ送信機の出力をケーブルを用いて車内のＡ／Ｖ機器のＦＭ受信機に接続して用いようとすると、ＦＭ受信状態等が大型画面に表示されるが、ＦＭ受信機自体は、高度にＩＣ化され、小型ブロック化されていると共に、受信アンテナの接続部位も分かりにくく、素人が自分でケーブルを接続することは不可能であった。
【０００７】
本発明は、以上のような課題を解決するためになされたもので、特に、ＦＭ送信機の送信アンテナをＦＭ受信機の受信アンテナに接触又は近接させることにより、送信する音信号を直接受信アンテナに送信することができるようにしたＦＭ送信装置及び方法を提供することを目的とする。
【課題を解決するための手段】
【０００８】
本発明によるＦＭ送信装置は、電気的音発生器からの音信号をＦＭ送信機の送信アンテナから、ＦＭ受信機の受信アンテナを経て前記ＦＭ受信機で受信するようにしたＦＭ送信装置において、前記送信アンテナと受信アンテナとは、互いに接触又は近接している構成であり、また、前記受信アンテナは、ガラス内に導体が埋設されたガラス受信アンテナよりなる構成であり、また、前記ＦＭ送信機は、取付部品を介して前記ガラスの一面に取付けられている構成であり、また、前記ＦＭ送信機は、吸着板を介して前記ガラスの一面に取付けられている構成であり、また、前記ＦＭ送信機は、両面テープを介して前記ガラスの一面に取付けられている構成であり、また、前記受信アンテナは、車の前部又は後部に植立されている棒状アンテナよりなる構成であり、また、前記受信アンテナは、車の屋根の後部に設けられたルーフアンテナよりなる構成であり、また、本発明によるＦＭ方法は、電気的音発生器からの音信号をＦＭ送信機の送信アンテナから、ＦＭ受信機の受信アンテナを経て前記ＦＭ受信機で受信するようにしたＦＭ送信装置において、前記送信アンテナと受信アンテナとは、互いに接触又は近接している方法であり、また、前記受信アンテナは、ガラス内に導体が埋設されたガラス受信アンテナよりなる方法であり、また、前記ＦＭ送信機は、取付部品を介して前記ガラスの一面に取付けられている方法であり、また、前記ＦＭ送信機は、吸着板を介して前記ガラスの一面に取付けられている方法であり、また、前記ＦＭ送信機は、両面テープを介して前記ガラスの一面に取付けられている方法であり、また、前記受信アンテナは、車の前部又は後部に植立されている棒状アンテナよりなる方法であり、また、前記受信アンテナは、車の屋根の後部に設けられたルーフアンテナよりなる方法である。
【発明の効果】
【０００９】
本発明によるＦＭ送信装置及び方法は、以上のように構成されているため、次のような効果を得ることができる。
すなわち、電気的音発生器からの音信号をＦＭ送信機の送信アンテナから、ＦＭ受信機の受信アンテナを経て前記ＦＭ受信機で受信するようにしたＦＭ送信装置において、
前記送信アンテナと受信アンテナとは、互いに接触又は近接していることにより、外部に電波が漏洩することが殆んどなく、省電力の出力で済み、電波法の規制もクリアできる送信が可能となる。
また、前記受信アンテナは、ガラス内に導体が埋設されたガラス受信アンテナよりなることにより、アンテナ同志は直接接触又は近接状態にできる。
また、前記ＦＭ送信機は、取付部品を介して前記ガラスの一面に取付けられていることにより、受信アンテナへの送信が容易となる。
また、前記ＦＭ送信機は、吸着板を介して前記ガラスの一面に取付けられていることにより、ＦＭ送信機の装着が極めて容易となる。
また、前記ＦＭ送信機は、両面テープを介して前記ガラスの一面に取付けられていることにより、ＦＭ送信機の取付けが極めて容易となる。
また、前記受信アンテナは、車の前部又は後部に植立されている棒状アンテナよりなることにより、送信アンテナとの接続が容易となる。
また、前記受信アンテナは、車の屋根の後部に設けられたルーフアンテナよりなることにより、送信アンテナを屋根の裏側（室内側）に取付けることができる。
【図面の簡単な説明】
【００１０】
【図１】本発明によるＦＭ送信装置及び方法を示すための構成図である。
【図２】図１の要部の他の形態を示す断面図である。
【図３】図２の他の形態を示すための断面図である。
【図４】図２の他の形態を示すための断面図である。
【図５】本発明のＦＭ受信機を車に用いた構成図である。
【図６】図５の他の形態の構成図である。
【図７】従来の受信機を示す構成図である。
【図８】従来の他の形態を示す構成図である。
【図９】従来のＦＭ送受信機を示す構成図である。
【発明を実施するための形態】
【００１１】
本発明による車用ＦＭ送信装置及び方法は、ＦＭ送信機の送信アンテナをＦＭ受信機の受信アンテナに接触又は近接させることにより、送信する音信号を直接受信アンテナに送信することである。
【実施例】
【００１２】
以下、図面と共に本発明による車用ＦＭ送信装置及び方法の好適な実施の形態について説明する。
尚、従来例と同一又は同等部分には、同一符号を付して説明する。
図１において、符号１で示されるものは、一般にトランスミッタとして呼称されるＦＭ送信機であり、このＦＭ送信機１には、例えば、スマホ、ｉｐａｄ等の携帯機器からなる音楽等のソースである電気的音発生機２がケーブル４を介して接続されている。
【００１３】
前記ＦＭ送信機１の送信アンテナ５はＦＭ受信機６の受信アンテナ７に対して接触又は近接している。
前述の図１の構成において、前記電気的音発生器２からの音信号３はケーブル４を介してＦＭ送信機１に送られた後、送信アンテナ５からＦＭ受信機６の受信アンテナ７に送られる。
【００１４】
前記送信アンテナ５と受信アンテナ７は、互いに接触又は若干互いにに離間した近接状態であるため、前記送信アンテナ５からの送信電波は、直接前記受信アンテナ７に伝達されるか、又は、前記受信アンテナ７に伝播するため、前記送信アンテナ５から発射される電波の出力は、極めて微弱で済むため、従来のように電波が外部に漏れて防災無線や消防無線等に雑音として重なることは防止できる。
【００１５】
図２は、車の前面又は後面に設けられているガラス１０であり、このガラス１０には、その内部又は表面にガラス受信アンテナ７Ａが形成されており、このガラス１０の表面１１には、例えば、バンド状の取付け部品１２を介して前記ＦＭ送信機１が密着して設けられている。
【００１６】
前述の場合、前記ＦＭ送信機１の送信アンテナ５は、扁平形状の金属板で形成されているため、前記ガラス１０の表面１１に密着し、前記ガラス受信アンテナ７Ａに対して図１の各アンテナ５,７と同様の近接状態となる。
【００１７】
従って、前述の図２の構成においても、各アンテナ５，７Ａ間では電波が外部に漏れることなく前記ガラス受信アンテナ７Ａに伝播される。
また、図２において、前記ガラス受信アンテナ７Ａの代りに、導電材によるプリントアンテナ７Ｂが前記表面１１に形成されている場合には、前記送信アンテナ５は前記プリントアンテナ７Ｂに直接接触するため、電波の外部漏れを防止することができる。
【００１８】
図３は、図２の他の形態を示す構成で、ＦＭ送信機１を、前述の取付け部品１２の代りに吸着板２０によってガラス１０の表面１１に密着接続されている。
従って、図３の構成においても、前記吸着板２０の下面に送信アンテナ５が設けられているため、この送信アンテナ５とガラス受信アンテナ７Ａとは前述と同様の近接状態となる。
【００１９】
また、図３において、前記ガラス受信アンテナ７Ａの代りに、導電材によるプリントアンテナ７Ｂが前記表面１１に形成されている場合には、前記送信アンテナ５は前記プリントアンテナ７Ｂに直接接触するため、電波の外部漏れを防止することができる。
【００２０】
図４は、図２、図３の取付け部品１２及び吸着板２０の代りに、両面テープ２１によってガラス１０の表面１１に密着接続されている。
従って、図４の構成においても、両面テープ２１の下面に送信アンテナ５が設けられているため、この送信アンテナ５とガラス受信アンテナ７Ａとは前述と同様の近接状態となる。
また前記プリントアンテナ７Ｂを設けた場合には、前述の図２及び図３の構成と同様に、送信アンテナ５とプリントアンテナ７Ｂとは直接接触するため、電波の外部漏れを防止することができる。
【００２１】
図５は、車３０の中に前記ＦＭ送信機１を取付けた場合、車３０の後部に設けた受信アンテナ７である棒状アンテナ７Ｃに対して、前記送信アンテナ５を棒状アンテナ７Ｃの近傍もしくは、これに接続した状態とすることにより、前述の図１から図４の構成と同様の作用効果を得ることができる。
【００２２】
図６は、車３０の屋根３１の後部に受信アンテナ７であるルーフアンテナ７Ｄが設けられた場合、前記ルーフアンテナ４Ｄに対して、前記送信アンテナ５をルーフアンテナ７Ｄの近傍、もしくは、これに接続した状態とすることにより、前述の図１から図４の構成と同様の作用効果を得ることができる。
【００２３】
尚、本発明によるＦＭ送信装置及び方法の要旨は次の通りである。
すなわち、電気的音発生器２からの音信号３をＦＭ送信機１の送信アンテナ５から、ＦＭ受信機６の受信アンテナ７を経て前記ＦＭ受信機６で受信するようにしたＦＭ送信装置において、前記送信アンテナ５と受信アンテナ７とは、互いに接触又は近接している構成と方法であり、また、前記受信アンテナ７は、ガラス１０内に導体が埋設されたガラス受信アンテナ７Ａよりなる構成と方法であり、また、前記ＦＭ送信機１は、取付部品１２を介して前記ガラス１０の一面に取付けられている構成と方法であり、また、前記ＦＭ送信機１は、吸着板２０を介して前記ガラス１０の一面に取付けられている構成と方法であり、また、前記ＦＭ送信機１は、両面テープ２１を介して前記ガラス１０の一面に取付けられている構成と方法であり、また、前記受信アンテナ７は、車３０の前部又は後部に植立されている棒状アンテナ７Ｃよりなる構成と方法であり、また、前記受信アンテナ７は、車３０の屋根３１の後部に設けられたルーフアンテナ７Ｄよりなる構成と方法である。
【産業上の利用可能性】
【００２４】
本発明によるＦＭ送信装置及び方法は、ＦＭ送信機の送信アンテナを受信アンテナに対して接続又は近接できるため、あらゆる車又はボート、オートバイ等の各種系物に対して携帯等の音楽再生を安全に確実に行うことができる。
【符号の説明】
【００２５】
１    ＦＭ送信機
２    電気的音発生器
３    音信号
４    ケーブル
５    送信アンテナ
６    ＦＭ受信機
７    受信アンテナ
７Ａ    ガラス受信アンテナ
７Ｂ    プリントアンテナ
７Ｃ    棒状アンテナ
７Ｄ    ルーフアンテナ
１０    ガラス
１１    表面
１２    取付け部品
２０    吸着板
２１    両面テープ
３０    車
３１    屋根
【図１】
2015106774.tif 000003
【図２】
2015106774.tif 000004
【図３】
2015106774.tif 000005
【図４】
2015106774.tif 000006
【図５】
2015106774.tif 000007
【図６】
2015106774.tif 000008
【図７】
2015106774.tif 000009
【図８】
2015106774.tif 000010
【図９】
2015106774.tif 000011